(57)【特許請求の範囲】
【請求項１】
フィルムの側縁同士が貼り合わされた背貼部と、
前記フィルムに覆われて、歯科の外科手術用に用いられるメンブレンを収納する収納部と、
前記背貼部により筒状にされた前記フィルムの一方の開口端から離間して設けられ、前記収納部の一端を封止する第１シール部と、
前記収納部の他端を封止する第２シール部と、
前記開口端において対向する前記フィルムの一方に設けられ、前記背貼部の延伸方向に直交する幅方向に離間する一対の切り込みで形成される開封部と、を有し、
前記背貼部及び前記開封部は、対向する前記フィルムの同一の面側に設けられ、
前記背貼部により筒状にされた前記フィルムは、前記背貼部が前記幅方向において前記開封部の領域外であって側縁近傍に位置するように、平板状に折り畳まれた状態で設けられ、
前記第１シール部は、前記幅方向において、前記開封部の領域外の両端部が中央部よりも前記開口端側に突出し、
前記一対の切り込みは、前記両端部の間に形成され、
開封時には、前記一対の切り込みから前記フィルムが引き裂かれて、前記メンブレンの一端が前記収納部から突出可能となるように前記開封部が開封される歯科用包装袋。
【請求項２】
前記背貼部は、前記フィルムの同一面同士が貼り合わされて形成され、前記開封部とは反対側に折り返されている請求項１に記載の歯科用包装袋。
【請求項３】
前記開封部の開封後、開封部分を反らせ、前記メンブレンの上側は前記フィルムから離間させて前記収納部から突出させる請求項１又は２に記載の歯科用包装袋。
【発明の詳細な説明】
【技術分野】
【０００１】
本発明は、歯科用包装袋に関する。
【背景技術】
【０００２】
食品、医薬品、化粧品等の物品を内包する包装袋として、例えば三方袋、合掌袋等が知られている（例えば、特許文献１又は２参照）。このような包装袋は、例えば端部に形成されている切り込み等から破ったり、シール部分を引き剥がしたりすることで、開封して内部の物品等を取り出すことができるように構成されている。
【先行技術文献】
【特許文献】
【０００３】
【特許文献１】特開平８−３２４５８８号公報
【特許文献２】特開平９−２２１１１１号公報
【発明の概要】
【発明が解決しようとする課題】
【０００４】
包装袋は、上記したように様々な形状が知られているが、例えば歯科の外科手術に用いられるメンブレン等の医療材料等を収納する場合には、医療材料を傷付けることなく収納・保管でき、傷付けることなく容易に開封可能であり、開封部分から医療材料を取り出し易い構成であることが望まれる。
【０００５】
本発明は上記に鑑みてなされたものであって、物品を傷付けることなく収納・保管可能且つ容易に開封可能な歯科用包装袋を提供することを目的とする。
【課題を解決するための手段】
【０００６】
本発明の一態様に係る歯科用包装袋によれば、フィルムの側縁同士が貼り合わされた背貼部と、前記フィルムに覆われて、歯科の外科手術用に用いられるメンブレンを収納する収納部と、前記背貼部により筒状にされた前記フィルムの一方の開口端から離間して設けられ、前記収納部の一端を封止する第１シール部と、前記収納部の他端を封止する第２シール部と、前記開口端において対向する前記フィルムの一方に設けられ、前記背貼部の延伸方向に直交する幅方向に離間する一対の切り込みで形成される開封部と、を有し、前記背貼部及び前記開封部は、対向する前記フィルムの同一の面側に設けられ、前記背貼部により筒状にされた前記フィルムは、前記背貼部が前記幅方向において前記開封部の領域外であって側縁近傍に位置するように、平板状に折り畳まれた状態で設けられ、前記第１シール部は、前記幅方向において、前記開封部の領域外の両端部が中央部よりも前記開口端側に突出し、前記一対の切り込みは、前記両端部の間に形成され、開封時には、前記一対の切り込みから前記フィルムが引き裂かれて、前記メンブレンの一端が前記収納部から突出可能となるように前記開封部が開封される。
【発明の効果】
【０００７】
本発明の実施形態によれば、物品を傷付けることなく収納・保管可能且つ容易に開封可能な歯科用包装袋が提供される。
【図面の簡単な説明】
【０００８】
【図１】実施形態に係る包装袋を例示する斜視図である。
【図２】実施形態に係る包装袋を例示する上面図である。
【図３】実施形態に係る包装袋が開封された状態を例示する図である。
【図４】実施形態に係る包装袋から物品が取り出される様子を例示する図である。
【発明を実施するための形態】
【０００９】
以下、本発明の実施形態として、歯科医療分野において歯周組織等を再生させるために用いられるメンブレンを内包する包装袋について、図面に基づいて説明する。各図面において、同一構成部分には同一符号を付し、重複した説明を省略する場合がある。
【００１０】
図１は、実施形態に係る包装袋１００の斜視図である。また、図２は、実施形態に係る包装袋１００の上面図である。
【００１１】
包装袋１００は、矩形状の一枚のフィルム１０から形成され、背貼部２０、第１シール部３１、第２シール部３２、開封部４０、収納部５０を有する。
【００１２】
フィルム１０は、例えば基材層とシーラント層とが積層された積層フィルムである。
【００１３】
基材層は、例えば、ポリエチレンテレフタレートフィルム、ポリエチレンナフタレートフィルム等のポリエステルフィルム、ポリプロピレン等のポリオレフィンフィルム、ポリスチレンフィルム、６−ナイロン等のポリアミドフィルム、ポリカーボネートフィルム、ポリアクリルニトリルフィルム、ポリイミドフィルム等である。
【００１４】
また、シーラント層は、例えば低密度ポリエチレン、直鎖状低密度ポリエチレン、中密度ポリエチレン、高密度ポリエチレン、エチレン−メタクリル酸共重合体（ＥＭＡＡ）、エチレン−アクリル酸エチル共重合体（ＥＡＡ）、アイオノマー、ポリプロピレン等のポリオレフィン系樹脂フィルムであり、基材層に積層される。
【００１５】
また、基材層とシーラント層との間に、例えばガスバリア、遮光等の機能を有する中間層が必要に応じて形成されてもよい。
【００１６】
なお、フィルム１０は、収納部５０にメンブレン２００を収納して密封可能であれば、上記した材料及び構成に限られるものではない。
【００１７】
背貼部２０は、フィルム１０のシーラント層側の同一面の側縁同士が当接した状態で、加熱及び加圧されてシーラント層同士が熱融着することで形成される。背貼部２０により筒状にされたフィルム１０は、背貼部２０が側縁（図２における上辺又は下辺）近傍に位置するように平板状に折り畳まれる。また、背貼部２０は、包装袋１００の開封時に邪魔にならないように、側縁に向かって折り返される。
【００１８】
第１シール部３１及び第２シール部３２は、フィルム１０が平板上に折り畳まれた状態で、加熱及び加圧されて内側のシーラント層同士が熱融着することで形成される。
【００１９】
第１シール部３１は、開封部４０を形成できるように、フィルム１０の第１開口端１１から離間した位置に形成され、収納部５０の一端（図２における左側）を封止する。第１シール部３１は、背貼部２０の延伸方向に直交する幅方向（以下、単に「幅方向」という）において、両端部３１ａ，３１ｃが中央部３１ｂよりも第１開口端１１側に突出するように形成されている。
【００２０】
第１シール部３１の両端部３１ａ，３１ｃは、幅方向において、開封部４０の領域外に形成される。第１シール部３１の両端部３１ａ，３１ｃは、包装袋１００の開封時に開封部４０の両側を押さえることで、開封部４０を捲り上げて開封し易くする。
【００２１】
第２シール部３２は、フィルム１０の第２開口端１２側に設けられ、収納部５０の他端（図２における右側）を封止する。
【００２２】
開封部４０は、第１開口端１１において対向するフィルム１０の一方（図１及び図２における上側）に設けられている。開封部４０は、幅方向において離間する一対の切り込み４１，４２により形成され、捲り上げられるようになっている。開封部４０は、幅方向において第１シール部３１の両端部３１ａ，３１ｃの間に形成されている。
【００２３】
また、切り込み４１，４２は、第１シール部３１の両端部３１ａ，３１ｃに沿って、それぞれ背貼部２０の延伸方向に平行に形成されている。なお、切り込み４１，４２は、例えばＶ字状に切り取られた切り欠きであってもよい。
【００２４】
なお、第１開口端１１に形成される開封部４０に加えて、第２開口端１２に開封部４０と同様の開封部が設けられてもよい。この場合、第２シール部３２は、第１シール部３１と同様に、第２開口端１２から離間した位置に設けられる。また、第２シール部３２は、幅方向において開封部の領域外の両端部が中央部よりも第２開口端１２側に突出するように形成されることが好ましい。
【００２５】
収納部５０は、フィルム１０に覆われ、背貼部２０、第１シール部３１及び第２シール部３２により密封された空間であり、メンブレン２００を収納する。収納部５０には、背貼部２０とは重ならない領域にメンブレン２００が配置された状態で、吸引されながら加圧及び加熱されて第１シール部３１又は第２シール部３２が形成されることで、メンブレン２００が密封される。密封時に吸引することで、メンブレン２００をフィルム１０の間に挟んで固定し、メンブレン２００が第１シール部３１又は第２シール部３２に挟み込まれるのを防止できる。
【００２６】
ここで、本実施形態に係る包装袋１００は、背貼部２０が、幅方向において開封部４０の領域外であって側縁近傍に設けられている。したがって、背貼部２０と重ならないようにメンブレン２００を配置し、密封時に加圧及び加熱する際に背貼部２０でメンブレン２００を傷付けることなく、メンブレン２００を収納部５０に収納することが可能になっている。また、包装袋１００の保管時において、背貼部２０とメンブレン２００とが重なり、メンブレン２００が背貼部２０に押圧されて損傷等する可能性が低減されている。
【００２７】
以上で説明したように、包装袋１００は、矩形状の一枚のフィルム１０から形成され、背貼部２０、第１シール部３１及び第２シール部３２によって密封される収納部５０にメンブレン２００を収納する。また、包装袋１００は、開封部４０からフィルム１０が切り裂かれることで、開封されて収納部５０からメンブレン２００が取り出し可能な状態となる。
【００２８】
図３は、実施形態に係る包装袋１００が開封された状態を例示する図である。
【００２９】
図３に示すように、開封部４０を把持し、切り込み４１，４２からフィルム１０を引き裂きながら第１シール部３１を剥離させ、さらにフィルム１０を第２シール部３２に向かって引き裂くことで、包装袋１００を開封できる。
【００３０】
ここで、開封部４０は、第１シール部３１の両端部３１ａ，３１ｃによって幅方向における両側が押さえられた状態になっている。したがって、開封部４０を把持して引っ張る時にフィルム１０にかかる力が、第１シール部３１の中央部３１ｂに集中し、第１シール部３１を容易に剥離させることが可能になる。
【００３１】
開封部４０から包装袋１００を開封した後は、例えば図４に示されるように、開封部分が反るように包装袋１００を持ち、メンブレン２００の上側をフィルム１０から離間させて収納部５０から突出させる。このように包装袋１００を持つと、ピンセット等でメンブレン２００の上端を把持して取り出し易くなる。
【００３２】
本実施形態に係る包装袋１００は、幅方向において背貼部２０が開封部４０の領域外に設けられている。背貼部２０は、フィルム１０が重ねて融着されているため、他の部分よりも剛性が高く、コシが強い。このため、背貼部２０が開封部４０に重なる位置に設けられると、開封後に開封部４０が元の位置に戻り易くなり、開封部分が再び塞がれてメンブレン２００を取り出し難くなる場合がある。
【００３３】
しかし、本実施形態に係る包装袋１００では、背貼部２０が開封部４０の領域外に設けられているため、開封後において開封部４０を含むフィルム１０の姿勢が維持され易くなる。したがって、図３及び図４に示されるように開封状態が保たれ、収納されていたメンブレン２００を取り出し易くなる。例えば、一方の手で包装袋１００を保持しながら、他方の手でピンセット等を使ってメンブレン２００を取り出すことが可能になる。
【００３４】
また、背貼部２０と開封部４０とが反対側に設けられている場合（例えば図１において、背貼部２０が下面側に形成され、開封部４０が上面側に形成されている場合等）を考える。この場合においても、背貼部２０が開封部４０に重なる位置に設けられていると、図４に示されるように片手で包装袋１００を反らせるように持つのが困難になり、メンブレン２００を取り出し難くなる可能性がある。したがって、背貼部２０と開封部４０とが反対側に形成される場合であっても、背貼部２０は開封部４０の領域外に設けられることが好ましい。
【００３５】
以上で説明したように、本実施形態に係る包装袋１００によれば、開封部４０を掴んで切り込み４１，４２からフィルム１０を引き裂くことで、収容されているメンブレン２００を傷付けることなく、容易に開封することができる。また、開封状態が維持され、メンブレン２００を取り出し易くなるように変形させることが可能なため、収納部５０から容易にメンブレン２００を取り出すことができる。
【００３６】
以上、実施形態に係る包装袋について説明したが、本発明は上記実施形態に限定されるものではなく、本発明の範囲内で種々の変形及び改良が可能である。
【００３７】
例えば、包装袋１００には、歯科における治療等に用いられるものであれば、メンブレン２００以外の物品が収納されてもよい。また、包装袋１００は、収納する物品に応じた大きさに形成され、側端部が襞状に折り畳まれたガゼット袋状に形成されてもよい。さらに、背貼部２０、第１シール部３１、第２シール部３２及び開封部４０の幅や、切り込み４１，４２の長さ等は、包装袋１００の大きさや収納される物品に応じて、収納部５０を密封及び開封できるように適宜設計される。
【符号の説明】
【００３８】
１０  フィルム
１１  第１開口端（開口端）
１２  第２開口端
２０  背貼部
３１  第１シール部
３１ａ，３１ｃ  両端部
３１ｂ  中央部
３２  第２シール部
４０  開封部
４１，４２  切り込み
５０  収納部
１００  包装袋
２００  メンブレン（物品）
【図１】
0006529803.tif 000002
【図２】
0006529803.tif 000003
【図３】
0006529803.tif 000004
【図４】
0006529803.tif 000005